(57)【要約】【課題】コストアップを抑制して、動作パラメータや動作プログラムを書き換えることが出来る電子機器を提供する。【解決手段】ＬＥＤ（１）と、ＬＥＤ（１）の両端に生じた電圧を検出するＡＤＣ（１４）と、検出した電圧に基づいて動作を制御するＣＰＵ（１０）とを具備する。【効果】ＬＥＤ（１）を受光素子として動作させ、外部から光でデータを受信可能とする。ケースを開けて内部回路にライタのコンタクトを接続したり、ケースにコネクタを設けて該コネクタにライタのコネクタを接続する必要がなくなる。受光窓をケースに設けたり、フォトダイオードやフォトトランジスタのような受光素子を追加することも必要なくなる。【選択図】図６
2010073932.tif 000002
【特許請求の範囲】
【請求項１】
ＬＥＤ（１）と、前記ＬＥＤ（１）の両端に生じた電圧を検出する電圧検出手段（１４）と、前記検出した電圧に基づいて動作を制御する制御手段（１１）とを具備したことを特徴とする電子機器（１００）。
【請求項２】
請求項１に記載の電子機器（１００）において、前記制御手段（１１）は、前記電圧検出手段（１４）で検出した電圧値と閾値とを比較して２値化する２値化手段を含むことを特徴とする電子機器（１００）。
【請求項３】
請求項１または請求項２に記載の電子機器（１００）において、前記ＬＥＤ（１）を発光させる電圧を前記ＬＥＤ（１）に加える電圧印加手段（１３）と、前記電圧検出手段（１４）と前記電圧印加手段（１３）のいずれかを選択的に前記ＬＥＤ（１）に接続する切替手段（１５）とを具備したことを特徴とする電子機器（１００）。
【請求項４】
請求項３に記載の電子機器（１００）において、前記制御手段（１１）は、表示データに基づいて前記電圧印加手段（１３）を駆動することを特徴とする電子機器（１００）。
【請求項５】
請求項３または請求項４に記載の電子機器（１００）において、前記制御手段（１１）は、送信データに基づいて前記電圧印加手段（１３）を駆動することを特徴とする電子機器（１００）。
【発明の詳細な説明】
【技術分野】
【０００１】
本発明は、電子機器に関し、さらに詳しくは、発光素子であるＬＥＤを受光素子として使用する電子機器に関する。
【背景技術】
【０００２】
ＬＥＤ（Light Emitting Diode）を発光させ、その発光パタンにより動作状態を表示する無線タグが知られている（例えば、特許文献１参照。）。
他方、発光素子であるＬＥＤを受光素子として使用する技術は知られていない。
【特許文献１】特開２００５−２２７９８０号公報
【発明の開示】
【発明が解決しようとする課題】
【０００３】
上記従来の無線タグでは、動作パラメータや動作プログラムを書き換えるために、ケースを開けて内部回路にライタ（データ書込装置）のコンタクトを接続したり、ケースにコネクタを設けて該コネクタにライタのコネクタを接続していた。
しかし、いずれも作業工数や部品点数が増え、コストアップになる問題点があった。
これに対し、光通信を利用することが考えられるが、受光窓をケースに設けたり、フォトダイオードやフォトトランジスタのような受光素子を追加することが必要になるため、やはり作業工数や部品点数が増え、コストアップになる問題点がある。
そこで、本発明の目的は、コストアップを抑制して、動作パラメータや動作プログラムを書き換えることが出来る電子機器を提供することにある。
【課題を解決するための手段】
【０００４】
第１の観点では、本発明は、ＬＥＤ（１）と、前記ＬＥＤ（１）の両端に生じた電圧を検出する電圧検出手段（１４）と、前記検出した電圧に基づいて動作を制御する制御手段（１１）とを具備したことを特徴とする電子機器（１００）を提供する。
ＬＥＤは発光素子であるが、本願発明者が実験したところ、光を当てると電圧を発生することが判った。すなわち、受光素子としての機能を持つことが判った。
そこで、上記第１の観点による電子機器（１００）では、電子機器が発光素子として備えているＬＥＤ（１）を受光素子として動作させ、外部からデータを受信可能とした。これにより、ケースを開けて内部回路にライタのコンタクトを接続したり、ケースにコネクタを設けて該コネクタにライタのコネクタを接続する必要がなくなる。また、受光窓をケースに設けたり、フォトダイオードやフォトトランジスタのような受光素子を追加することも必要なくなる。よって、コストアップを抑制して、動作パラメータや動作プログラムを書き換えることが可能になる。
【０００５】
第２の観点では、本発明は、前記第１の観点による電子機器（１００）において、前記制御手段（１１）は、前記電圧検出手段（１４）で検出した電圧値と閾値とを比較して２値化する２値化手段を含むことを特徴とする電子機器（１００）を提供する。
上記第２の観点による電子機器（１００）では、２値データを受信可能になる。
【０００６】
第３の観点では、本発明は、前記第１または第２の観点による電子機器（１００）において、前記ＬＥＤ（１）を発光させる電圧を前記ＬＥＤ（１）に加える電圧印加手段（１３）と、前記電圧検出手段（１４）と前記電圧印加手段（１３）のいずれかを選択的に前記ＬＥＤ（１）に接続する切替手段（１５）とを具備したことを特徴とする電子機器（１００）を提供する。
上記第３の観点による電子機器（１００）では、電圧検出手段（１４）を選択してＬＥＤ（１）に接続すれば、ＬＥＤ（１）を受光素子として動作させることが出来る。また、電圧印加手段（１３）を選択してＬＥＤ（１）に接続すれば、ＬＥＤ（１）を発光させることが出来る。
【０００７】
第４の観点では、本発明は、前記第３の観点による電子機器（１００）において、前記制御手段（１１）は、表示データに基づいて前記電圧印加手段（１３）を駆動することを特徴とする電子機器（１００）を提供する。
上記第４の観点による電子機器（１００）では、ＬＥＤ（１）を発光させて、その発光パタンにより動作状態を表示することが出来る。
【０００８】
第５の観点では、本発明は、前記第３または第４の観点による電子機器（１００）において、前記制御手段（１１）は、送信データに基づいて前記電圧印加手段（１３）を駆動することを特徴とする電子機器（１００）を提供する。
上記第５の観点による電子機器（１００）では、ＬＥＤ（１）を発光させて、その発光パタンにより送信データを外部へ発信することが出来る。
【発明の効果】
【０００９】
本発明の電子機器によれば、ケースを開けて内部回路にライタのコンタクトを接続したり、ケースにコネクタを設けて該コネクタにライタのコネクタを接続する必要がなくなる。また、受光窓をケースに設けたり、フォトダイオードやフォトトランジスタのような受光素子を追加することも必要なくなる。よって、コストアップを抑制して、動作パラメータや動作プログラムを書き換えることが可能になる。
【発明を実施するための最良の形態】
【００１０】
以下、図に示す実施の形態により本発明をさらに詳細に説明する。なお、これにより本発明が限定されるものではない。
【実施例１】
【００１１】
図１の（ａ）は、実施例１に係る無線タグ１００を示す正面図である。また、図１の（ｂ）は、同左側面図である。
この無線タグ１００は、発光パタンにより動作状態を表示するためのＬＥＤ１と、外部から動作を制御するための操作ボタン２とを有している。
ＬＥＤ１は、例えば東芝社のＴＬＳＵ１００２Ａである。
【００１２】
図２は、無線タグ１００の機能ブロック図である。
無線タグ１００は、マイコン１０を内蔵している。
マイコン１０のポートには、ＬＥＤ１と、操作ボタン２と、無線送信部３とが接続されている。
【００１３】
マイコン１０は、例えばＴＩ社のＭＳＰ４３０であり、ＣＰＵ１１と、メモリ１２と、ＤＡＣ１３と、ＡＤＣ１４と、ＤＡＣ１３またはＡＤＣ１４の一方を選択してポートに接続する切替スイッチ１５とを内蔵している。
【００１４】
ＣＰＵ１１は、通常モードでは、ＬＥＤ１をＤＡＣ１３に接続するように切替スイッチ１５をセットすると共に操作スイッチ２の状態を定期的にチェックしている。そして、操作スイッチ２が例えば５秒間以上押され続けている状態を検知しない限り、通常モードを継続する。
通常モードでは、ＣＰＵ１１は、例えば定期的に識別コードを無線発信するなどの本来の無線タグとしての動作を行い、操作ボタン２の操作に応じて動作状態を示す表示データＬをＤＡＣ１３へ出力し、動作状態を示す発光パタンでＬＥＤ１を発光させる。
【００１５】
図３の（ａ）は、無線タグ１００にデータ通信するリーダ・ライタ２００を示す正面図である。また、図３の（ｂ）は、同右側面断面図である。
このリーダ・ライタ２００は、無線タグ１００を嵌め込むための凹部２０１と、凹部２０１に嵌め込んだ無線タグ１００のＬＥＤ１と対向する位置に設けられた通信窓２０２と、通信窓２０２の直下に設置されたＬＥＤ２０３およびフォト・トランジスタ２０４と、凹部２０１に嵌め込んだ無線タグ１００の操作ボタン２を押すための突起２０５と、上位装置（図４の３００）に接続するためのケーブル２０６とを有している。
ＬＥＤ１は、例えば東芝社のＴＬＳＵ１００２Ａである。
【００１６】
図４は、リーダ・ライタ２００の機能ブロック図である。
リーダ・ライタ２００は、ＬＥＤ２０３に給電するためのドライバ回路２０７や、フォト・トランジスタ２０４で生じた電圧を検出するためのプリアンプ回路２０８を内蔵している。
上位装置３００は、無線タグ１００の保守を行うための例えばホストコンピュータである。
【００１７】
図５の（ａ）は、無線タグ１００をリーダ・ライタ２００の凹部２０１に嵌め込んだ状態を示す正面図である。図５の（ｂ）は、同右側面一部断面図である。
リーダ・ライタ２００のＬＥＤ２０３の光は、通信窓２０２を通して、無線タグ１００のＬＥＤ１に照射される。また、無線タグ１００のＬＥＤ１の光は、通信窓２０２を通して、リーダ・ライタ２００のフォト・トランジスタ２０４に照射される。
無線タグ１００の操作ボタン２は、リーダ・ライタ２００の突起２０５で押され続けている状態になる。
【００１８】
図６は、リーダ・ライタ２００から無線タグ１００に動作パラメータや動作プログラムを書き込む状態を示すブロック図である。
ＣＰＵ１１は、操作スイッチ２が５秒間以上押され続けている状態を検知すると、光通信モードになる。
光通信モードでは、ＣＰＵ１１は、図６に示すようにＬＥＤ１をＡＤＣ１４に接続するように切替スイッチ１５を切り替えると共にＡＤＣ１４の出力値を読み込む。
【００１９】
図７の（ａ）は、リーダ・ライタ２００のＬＥＤ２０３の発光パタンである。また、図７の（ｂ）は、無線タグ１００のＬＥＤ１における発生電圧である。
ＬＥＤ１の発生電圧は、受光していない状態から受光している状態になった直後の２０ｍｓ経過までは不安定であるが、その後は安定になり、受光していない状態では０ｍＶとなり、受光している状態では約８００ｍＶとなる。
【００２０】
そこで、ＣＰＵ１１は、例えば入力が５００ｍＶに対応するＡＤＣ１４の出力値を閾値として、ＡＤＣ１４の出力値を２値化し、それを受信データＲとする。かくして、２値コードを受信できるので、識別コードの書変えや動作プログラムの書換えなどが可能になる。
【００２１】
図８は、無線タグ１００からリーダ・ライタ２００へ応答を返す状態を示すブロック図である。
ＣＰＵ１１は、光通信モードの中で応答が必要になると、図８に示すようにＬＥＤ１をＤＡＣ１３に接続するように切替スイッチ１５を切り替えると共に送信データＴをＤＡＣ１３へ出力し、送信データを示す発光パタンでＬＥＤ１を発光させる。
なお、応答が済むと、図６の状態に戻る。
【００２２】
また、ＣＰＵ１１は、操作スイッチ２が５秒間以上押され続けている状態を検知なくなると、通常モードに戻る。
【００２３】
実施例１の無線タグ１００によれば、ケースを開けて内部回路にライタのコンタクトを接続したり、ケースにコネクタを設けて該コネクタにライタのコネクタを接続する必要がなくなる。また、受光窓をケースに設けたり、フォトダイオードやフォトトランジスタのような受光素子を追加することも必要なくなる。よって、コストアップを抑制して、動作パラメータや動作プログラムを書き換えることが可能になる。
【実施例２】
【００２４】
無線タグ１００からリーダ・ライタ２００への応答を無線で行ってもよい。この場合、リーダ・ライタ２００は、フォト・トランジスタ２０４の代わりに無線受信部を備えればよい。
【産業上の利用可能性】
【００２５】
本発明は、ＬＥＤを備えている無線タグなどの電子機器に利用できる。
【図面の簡単な説明】
【００２６】
【図１】（ａ）は実施例１に係る無線タグを示す正面図、（ｂ）は同左側面図である。
【図２】実施例１に係る無線タグの機能を示すブロック図である。
【図３】（ａ）はリーダ・ライタを示す正面図、（ｂ）は同右側面断面図である。
【図４】リーダ・ライタの機能を示すブロック図である。
【図５】（ａ）は実施例１に係る無線タグをリーダ・ライタにセットした状態を示す正面図、（ｂ）は同右側面一部断面図である。
【図６】リーダ・ライタから無線タグへデータを送る状態を示すブロック図である。
【図７】（ａ）はリーダ・ライタのＬＥＤの発光パタンを示す波形図、（ｂ）は無線タグのＬＥＤにおける発生電圧を示す波形図である。
【図８】無線タグからリーダ・ライタへデータを送る状態を示すブロック図である。
【符号の説明】
【００２７】
１                      ＬＥＤ
２                      操作ボタン
３                      無線送信部
１０                    マイコン
１１                    ＣＰＵ
１３                    ＤＡＣ（ＤＡコンバータ）
１４                    ＡＤＣ（ＡＤコンバータ）
１５                    切替スイッチ
１００                  無線タグ
２００                  リーダ・ライタ
２０３                  ＬＥＤ
２０４                  フォト・トランジスタ
【図１】
2010073932.tif 000003
【図２】
2010073932.tif 000004
【図３】
2010073932.tif 000005
【図４】
2010073932.tif 000006
【図５】
2010073932.tif 000007
【図６】
2010073932.tif 000008
【図７】
2010073932.tif 000009
【図８】
2010073932.tif 000010